(57)【特許請求の範囲】
【請求項１】
回転駆動する感光体ドラムと、前記感光体ドラムを帯電させる帯電器と、前記感光体ドラムを露光する露光装置と、前記感光体ドラムに現像剤を供給する現像剤担持体とを備えた画像形成装置であって、
前記帯電器は、
前記感光体ドラムの軸方向に沿って延び、前記感光体ドラムを帯電させるための電圧が印加されるワイヤ電極と、
前記ワイヤ電極と前記感光体ドラムの間で前記感光体ドラムに対向して配置されるグリッド面を有するグリッド電極と、
前記ワイヤ電極を挟んで対向して配置され、前記グリッド電極に対して略直交する方向に延びる一対のシールド電極と、を備え、
前記グリッド面は、前記ワイヤ電極と前記感光体ドラムの回転中心を含む平面よりも前記感光体ドラムの回転方向下流側において前記グリッド電極と前記シールド電極が前記感光体ドラムに近づくように、前記ワイヤ電極と前記感光体ドラムの回転中心を含む平面の直交面に対して傾斜し、
前記露光装置は、前記感光体ドラムの軸方向に沿って延び、前記現像剤担持体と前記帯電器の間で前記感光体ドラムに対向して配置される露光ヘッドを有し、
前記一対のシールド電極のうち、前記回転方向下流側のシールド電極の前記グリッド電極側の端部と前記感光体ドラムとの距離は、前記露光ヘッドの前記感光体ドラム側の端部と前記感光体ドラムとの距離よりも小さいことを特徴とする画像形成装置。
【請求項２】
前記露光ヘッドは、前記グリッド面の延長面を挟んで前記感光体ドラムとは反対側に配置されることを特徴とする請求項１に記載の画像形成装置。
【請求項３】
前記露光ヘッドは、前記感光体ドラムに近づくにつれ先細りとなる形状に形成され、
前記回転方向下流側のシールド電極は、前記露光ヘッドの先細りとなる壁面に沿って配置されることを特徴とする請求項１または請求項２に記載の画像形成装置。
【請求項４】
前記グリッド面と前記直交面とがなす角度は、５°以上であることを特徴とする請求項１から請求項３のいずれか１項に記載の画像形成装置。
【請求項５】
前記グリッド面と前記直交面とがなす角度は、１５°以下であることを特徴とする請求項４に記載の画像形成装置。
【請求項６】
前記ワイヤ電極と前記感光体ドラムの回転中心を含む平面と、前記感光体ドラムの回転中心と前記感光体ドラムの表面のうち前記露光装置によって露光される露光位置を含む平面とがなす角度は、３０°以下であることを特徴とする請求項１から請求項３のいずれか１項に記載の画像形成装置。
【請求項７】
前記感光体ドラムの直径は、１８ｍｍ以下であることを特徴とする請求項１から請求項６のいずれか１項に記載の画像形成装置。
【請求項８】
前記一対のシールド電極の間隔は、７ｍｍ以上であることを特徴とする請求項７に記載の画像形成装置。
【発明の詳細な説明】
【技術分野】
【０００１】
本発明は、感光体ドラムを帯電させる帯電器を備えた画像形成装置に関する。
【背景技術】
【０００２】
従来より、放電ワイヤ（ワイヤ電極）とグリッド電極を有し、ワイヤ電極からコロナ放電を発生させることにより感光体ドラムの表面を帯電させる帯電器を備えた画像形成装置が知られている（例えば、特許文献１参照）。従来の構成において、帯電器は、グリッド電極（感光体ドラムに対向するグリッド面）がワイヤ電極と感光体ドラムの回転中心を含む平面に対して直交するように配置されている。
【先行技術文献】
【特許文献】
【０００３】
【特許文献１】特開２００６−１８４７５１号公報
【発明の概要】
【発明が解決しようとする課題】
【０００４】
ところで、近年の画像形成装置の小型化に伴って、感光体ドラムも小径化が図られている。しかしながら、感光体ドラムは、その周面上に、露光装置により露光される露光位置を有していたり、帯電器や現像ローラ、転写ローラ、クリーニングローラなどが配置されていたりするので、小径化によって、これらの間隔が狭くなることとなる。そして、特に帯電器は、サイズをそれほど小さくできないため、従来の構成においては、感光体ドラムの小径化（画像形成装置の小型化）に限界が生じていた。
【０００５】
本発明は、以上のような背景に鑑みてなされたものであり、さらなる小型化を図ることができる画像形成装置を提供することを目的とする。
【課題を解決するための手段】
【０００６】
前記した目的を達成するため、本発明の画像形成装置は、回転駆動する感光体ドラムと、前記感光体ドラムを帯電させる帯電器と、前記感光体ドラムを露光する露光装置と、前記感光体ドラムに現像剤を供給する現像剤担持体とを備えた画像形成装置であって、前記帯電器は、前記感光体ドラムの軸方向に沿って延び、前記感光体ドラムを帯電させるための電圧が印加されるワイヤ電極と、前記ワイヤ電極と前記感光体ドラムの間で前記感光体ドラムに対向して配置されるグリッド面を有するグリッド電極と、前記ワイヤ電極を挟んで対向して配置され、前記グリッド電極に対して略直交する方向に延びる一対のシールド電極と、を備え、前記グリッド面は、前記ワイヤ電極と前記感光体ドラムの回転中心を含む平面よりも前記感光体ドラムの回転方向下流側において前記グリッド電極と前記シールド電極が前記感光体ドラムに近づくように、前記ワイヤ電極と前記感光体ドラムの回転中心を含む平面の直交面に対して傾斜し、前記露光装置は、前記感光体ドラムの軸方向に沿って延び、前記現像剤担持体と前記帯電器の間で前記感光体ドラムに対向して配置される露光ヘッドを有し、前記一対のシールド電極のうち、前記回転方向下流側のシールド電極の前記グリッド電極側の端部と前記感光体ドラムとの距離は、前記露光ヘッドの前記感光体ドラム側の端部と前記感光体ドラムとの距離よりも小さいことを特徴とする。
【０００７】
このように構成された画像形成装置によれば、グリッド面は、ワイヤ電極と感光体ドラムの回転中心を含む平面よりも感光体ドラムの回転方向下流側においてグリッド電極とシールド電極が感光体ドラムに近づくように、ワイヤ電極と感光体ドラムの回転中心を含む平面の直交面に対して傾斜しているので、帯電器のうち、感光体ドラムの回転方向下流側に位置するシールド電極の感光体ドラム側の端部を、露光光の光軸から遠ざけることが可能となる。これにより、帯電器と露光光の光軸との間にスペースを確保できるので、帯電器を光軸に近づけて配置することが可能となるため、感光体ドラムの径をより小さくすることができる。その結果、画像形成装置のさらなる小型化が可能となる。
【０００８】
また、グリッド電極は、ワイヤ電極と感光体ドラムの回転中心を含む平面よりも感光体ドラムの回転方向下流側が感光体ドラムに近づくように傾斜しているので、感光体ドラムの表面とグリッド電極（グリッド面）との間隔は、回転方向下流側が狭く、回転方向上流側が広くなっている。これにより、回転方向下流側（露光位置側）に流れるイオン（コロナ放電によってイオン化した空気）の量を減らすことができるので、感光体ドラム表面の露光後の再帯電を抑制でき、結果として、良好な画像を形成することができる。
【発明の効果】
【０００９】
本発明によれば、感光体ドラムの回転方向下流側においてグリッド電極とシールド電極が感光体ドラムに近づくように、グリッド電極がワイヤ電極と感光体ドラムの回転中心を含む平面の直交面に対して傾斜しているので、感光体ドラムの径をより小さくすることができ、画像形成装置のさらなる小型化を図ることが可能となる。
【図面の簡単な説明】
【００１０】
【図１】画像形成装置の一例としてのカラープリンタの全体構成を示す図である。
【図２】感光体ドラム周辺の構成を示す拡大図である。
【図３】本発明の効果の説明図であり、グリッド面を直交面に対して平行に配置した比較例の構成を示す図（ａ）と、グリッド面を直交面に対して傾斜させた実施形態の構成を示す図（ｂ）である。
【発明を実施するための形態】
【００１１】
次に、本発明の一実施形態について、適宜図面を参照しながら詳細に説明する。なお、以下の説明では、まず、画像形成装置の一例としてのカラープリンタ１の全体構成について簡単に説明した後、本発明の特徴部分について詳細に説明する。
【００１２】
また、以下の説明において、方向は、カラープリンタ１を使用するユーザを基準にした方向で説明する。すなわち、図１における左側を「前」、右側を「後」とし、手前側を「右」、奥側を「左」とする。また、図１における上下方向を「上下」とする。
【００１３】
＜カラープリンタの全体構成＞
図１に示すように、カラープリンタ１は、本体筐体１０内に、用紙Ｓを供給する給紙部２０と、供給された用紙Ｓに画像を形成する画像形成部３０と、画像が形成された用紙Ｓを排出する排紙部９０とを主に備えている。
【００１４】
本体筐体１０の上側には、後側を支点として上下に回動可能（開閉可能）に構成されたアッパーカバー１２が設けられている。このアッパーカバー１２の上面には本体筐体１０内から排出された用紙Ｓが載置される排紙トレイ１３が設けられており、下面にはＬＥＤユニット４０を保持する４つの保持部１４が設けられている。
【００１５】
給紙部２０は、本体筐体１０内の下部に設けられ、用紙Ｓを収容する給紙トレイ２１と、給紙トレイ２１から用紙Ｓを画像形成部３０に供給する用紙供給機構２２とを主に備えている。給紙トレイ２１内の用紙Ｓは、用紙供給機構２２によって１枚ずつ分離されて画像形成部３０に供給される。
【００１６】
画像形成部３０は、露光装置の一例としての４つのＬＥＤユニット４０と、４つのプロセスユニット５０と、転写ユニット７０と、定着ユニット８０とから主に構成されている。
【００１７】
ＬＥＤユニット４０は、アッパーカバー１２を閉じた状態において感光体ドラム５２の上方に対向して配置され、感光体ドラム５２の表面を露光するように構成されている。また、ＬＥＤユニット４０は、保持部１４を介してアッパーカバー１２に保持されているので、アッパーカバー１２を開くことにより感光体ドラム５２から離間するように構成されている。ＬＥＤユニット４０の詳細については後述する。
【００１８】
プロセスユニット５０は、アッパーカバー１２と給紙部２０との間で前後方向に沿って並列配置され、アッパーカバー１２が開かれた状態において本体筐体１０に対し着脱可能に装着される構成となっている。このプロセスユニット５０は、プロセスフレーム５１と、感光体ドラム５２と、帯電器１００と、現像器５４と、クリーニングローラ５５とを主に備えている。
【００１９】
プロセスフレーム５１は、感光体ドラム５２やクリーニングローラ５５を回転可能に支持するとともに、帯電器１００の後述するワイヤ電極１１０やグリッド電極１２０、シールド電極１３１，１３２を支持している。
【００２０】
感光体ドラム５２は、導電性を有する円筒状のドラム本体の表面（外周面）に感光層が形成された感光体であり、図１の反時計回り方向（矢印で示す方向）に回転駆動するように構成されている。
【００２１】
帯電器１００は、感光体ドラム５２の表面を帯電させるスコロトロン型の帯電器であり、感光体ドラム５２の後斜め上方に対向して配置されている。帯電器１００の詳細については後述する。
【００２２】
現像器５４は、プロセスフレーム５１に対して着脱可能に装着される構成となっており、プロセスフレーム５１に装着された状態において感光体ドラム５２の前斜め上方に配置されている。この現像器５４は、感光体ドラム５２にトナー（現像剤）を供給する現像剤担持体の一例としての現像ローラ５４Ａと、供給ローラ５４Ｂと、層厚規制ブレード５４Ｃと、トナーを収容するトナー収容部５４Ｄとを主に備えている。
【００２３】
クリーニングローラ５５は、感光体ドラム５２の表面に付着した紙粉・塵埃などの異物や、感光体ドラム５２の表面に残留したトナーなどを回収するローラであり、感光体ドラム５２の後方に接した状態で配置されている。
【００２４】
転写ユニット７０は、給紙部２０とプロセスユニット５０との間に設けられ、駆動ローラ７１と、従動ローラ７２と、駆動ローラ７１および従動ローラ７２の間に張設された無端状の搬送ベルト７３と、４つの転写ローラ７４とを主に備えている。搬送ベルト７３は、外側の面が各感光体ドラム５２に接しており、その内側には各転写ローラ７４が各感光体ドラム５２との間で搬送ベルト７３を挟持するように配置されている。
【００２５】
定着ユニット８０は、プロセスユニット５０および転写ユニット７０の後方に設けられ、加熱ローラ８１と、加熱ローラ８１と対向配置されて加熱ローラ８１を押圧する加圧ローラ８２とを主に備えている。
【００２６】
画像形成部３０では、感光体ドラム５２の表面が、帯電器１００により一様に帯電された後、ＬＥＤユニット４０により露光されることで、感光体ドラム５２上に画像データに基づく静電潜像が形成される。また、トナー収容部５４Ｄ内のトナーは、供給ローラ５４Ｂを介して現像ローラ５４Ａに供給され、現像ローラ５４Ａと層厚規制ブレード５４Ｃとの間に進入して一定厚さの薄層として現像ローラ５４Ａ上に担持される。
【００２７】
そして、現像ローラ５４Ａ上に担持されたトナーが感光体ドラム５２に供給されることで、静電潜像が可視像化され、感光体ドラム５２上にトナー像が形成される。その後、給紙部２０から供給された用紙Ｓが、感光体ドラム５２と搬送ベルト７３（転写ローラ７４）の間を搬送されることで、各感光体ドラム５２上に形成されたトナー像が用紙Ｓ上に順次重ね合わせて転写される。トナー像が転写された用紙Ｓは、加熱ローラ８１と加圧ローラ８２の間を搬送されることでトナー像が熱定着される。
【００２８】
排紙部９０は、定着ユニット８０から搬出された用紙Ｓを案内するための排紙経路９１と、用紙Ｓを搬送する複数の搬送ローラ９２とを主に備えている。トナー像が熱定着された用紙Ｓは、搬送ローラ９２によって排紙経路９１を搬送され、本体筐体１０の外部に排出されて排紙トレイ１３上に載置される。
【００２９】
＜感光体ドラム周辺の詳細構成＞
次に、本発明の特徴部分、具体的には、ＬＥＤユニット４０や帯電器１００の構成・配置などを中心とした感光体ドラム５２周辺の詳細な構成について説明する。
【００３０】
図２に示すように、ＬＥＤユニット４０は、露光ヘッドの一例としてのＬＥＤヘッド４１と、支持フレーム４２とを主に備えて構成されている。このＬＥＤユニット４０、より詳細には、ＬＥＤヘッド４１は、現像ローラ５４Ａ（現像器５４）と帯電器１００の間で、感光体ドラム５２の表面に対向して配置されている。
【００３１】
ＬＥＤヘッド４１は、左右方向（感光体ドラム５２の軸方向）に沿って延びており、アッパーカバー１２を閉じた状態において、その下端（先端）が感光体ドラム５２の表面に近接して配置されている。ＬＥＤヘッド４１の先端には、図示しない複数の発光部（ＬＥＤ）が左右方向に配列されている。ちなみに、本発明において、発光部は、左右方向に沿って、直線状に配列されていてもよいし、千鳥状に配列されていてもよい。また、発光部の列は、１つであってもよいし、前後方向に２つ以上並べて形成されていてもよい。
【００３２】
支持フレーム４２は、ＬＥＤヘッド４１をアッパーカバー１２に保持するための部材であり、その下部でＬＥＤヘッド４１を支持しつつ、上部が保持部１４を介してアッパーカバー１２に取り付けられている。
【００３３】
ＬＥＤユニット４０では、画像データに基づいて発光部を明滅させることで、帯電後の感光体ドラム５２の表面を露光する。ここで、以下の説明においては、感光体ドラム５２の表面のうちＬＥＤユニット４０によって露光される部位を露光位置ＰＥと称する。本実施形態においては、左右方向から見て、感光体ドラム５２の表面とＬＥＤヘッド４１から出射される露光光の光軸との交点（交線）が露光位置ＰＥとなる。
【００３４】
なお、ＬＥＤヘッド４１の発光部が千鳥状に配列されている場合や、発光部の列が前後方向に２つ以上並べて形成されている場合、左右方向から見て、露光光の光軸は複数となる。このような場合には、感光体ドラム５２の周方向において、感光体ドラム５２の表面のうち、当該表面と感光体ドラム５２の回転方向最上流側の光軸との交線と、感光体ドラム５２の表面と回転方向最下流側の光軸との交線との中間となる位置を露光位置とする。
【００３５】
帯電器１００は、ワイヤ電極１１０と、グリッド電極１２０と、一対のシールド電極１３１，１３２とを主に備えて構成されている。この帯電器１００は、感光体ドラム５２の後斜め上方において、感光体ドラム５２の表面から所定間隔を隔てて対向配置されている。
【００３６】
ワイヤ電極１１０は、感光体ドラム５２を帯電させるための電圧が印加されることでコロナ放電を発生させる金属製のワイヤである。このワイヤ電極１１０は、感光体ドラム５２の回転軸（回転中心Ｃ）に対して平行に張設されており、一対のシールド電極１３１，１３２の間において左右方向に沿って延びている。
【００３７】
グリッド電極１２０は、ワイヤ電極１１０と異なる電位（電位０を含む）に設定されることで感光体ドラム５２の表面に到達するイオンの量を制御する金属製の板状部材である。このグリッド電極１２０は、ワイヤ電極１１０と感光体ドラム５２の間で感光体ドラム５２に対向して配置される平面状のグリッド面１２１を有している。グリッド面１２１は、左右方向に沿って延びており、ワイヤ電極１１０のコロナ放電によって発生したイオンを通過させるための複数のグリッド孔１２２を有している。
【００３８】
一対のシールド電極１３１，１３２は、左右方向から見て、ワイヤ電極１１０を挟んで対向して配置され、グリッド電極１２０（グリッド面１２１）に対して略直交する方向に延びる金属製の板状部材である。この一対のシールド電極１３１，１３２は、感光体ドラム５２の回転中心Ｃ（左右方向）に沿って延びる略長板形状をなしており、互いに平行に配置されている。ちなみに、本実施形態において、シールド電極１３１，１３２は、グリッド電極１２０と一体に形成されているが、これに限定されず、グリッド電極１２０とは別の部品であってもよい。
【００３９】
ここで、以下の説明においては、一対のシールド電極１３１，１３２のうち、感光体ドラム５２の回転方向下流側（前側）に配置されたものを前側シールド電極１３１といい、回転方向上流側（後側）に配置されたものを後側シールド電極１３２というものとする。
【００４０】
本実施形態において、帯電器１００、より詳細には、グリッド面１２１は、ワイヤ電極１１０と感光体ドラム５２の回転中心Ｃを含む平面ＰＬ１よりも前側において、グリッド電極１２０と前側シールド電極１３１が感光体ドラム５２に近づくように、平面ＰＬ１の直交面ＰＬ２に対して傾斜している。
【００４１】
このように帯電器１００が配置されることで、図３（ａ）に示すような帯電器１００’のグリッド面１２１’が直交面ＰＬ２に沿って配置される構成と比較して、図３（ｂ）に示す本実施形態の構成は、前側シールド電極１３１の下端部１３３をＬＥＤユニット４０（露光光の光軸（平面ＰＬ３参照））から遠ざけることが可能となる。これによれば、帯電器１００とＬＥＤユニット４０との間にスペースを確保できるので、図３（ｂ）に示すように、帯電器１００とＬＥＤユニット４０を近づけて配置することが可能となる。その結果、感光体ドラム５２の径をより小さくすることができるので、カラープリンタ１のさらなる小型化を図ることができる。
【００４２】
なお、図２に示すように、グリッド面１２１と直交面ＰＬ２とがなす角度θ１は、５°以上、１５°以下であることが望ましい。これによれば、帯電器１００（グリッド面１２１）を傾斜させつつも、感光体ドラム５２の表面を良好に帯電させることが可能となる。
【００４３】
また、平面ＰＬ１と、感光体ドラム５２の回転中心Ｃと露光位置ＰＥを含む平面ＰＬ３とがなす角度θ２は、３０°以下であることが望ましい。これによれば、帯電器１００とＬＥＤユニット４０がより近づくことになるので、感光体ドラム５２のより一層の小径化を図ることができ、結果として、カラープリンタ１のより一層の小型化を図ることが可能となる。
【００４４】
さらに述べると、感光体ドラム５２の直径Ｄ１は、１８ｍｍ以下であることが望ましい。また、このとき、一対のシールド電極１３１，１３２の間隔Ｄ２は、７ｍｍ以上であることが望ましい。これによれば、スパークが起こりにくくなるので、コロナ放電を安定させることが可能となる。
【００４５】
本実施形態において、グリッド電極１２０は、平面ＰＬ１よりも前側が感光体ドラム５２に近づくように傾斜しているので、感光体ドラム５２の表面とグリッド面１２１との間隔は、平面ＰＬ１よりも前側が狭く、平面ＰＬ１よりも後側が広くなっている。そのため、図３（ａ）に示す構成と比較して、図３（ｂ）に示す本実施形態の構成は、ＬＥＤヘッド４１側に流れるイオン（矢印参照）の量を減らすことができる。これにより、感光体ドラム５２の表面の露光後の再帯電などを抑制できるので、露光部と未露光部との電位差を大きくすることができ、結果として良好な画像を形成することが可能となる。
【００４６】
以上説明した本発明は、カラープリンタ１のように、露光装置が、現像ローラ５４Ａと帯電器１００の間で感光体ドラム５２に対向して配置されている構成において特に有効である。このような構成は、例えば、複数のプロセスユニットの上方などに配置された露光装置からレーザ光を照射して感光体ドラムを露光する構成と比較して、感光体ドラム５２の小径化が容易でないからである。したがって、カラープリンタ１のような構成の画像形成装置に本発明を適用することで、感光体ドラムの小径化が可能となるので、さらなる小型化を図ることが可能となる。
【００４７】
以上、本発明の実施形態について説明したが、本発明は前記実施形態に限定されるものではない。具体的な構成については、本発明の趣旨を逸脱しない範囲で適宜変更が可能である。
【００４８】
前記実施形態では、前側シールド電極１３１が直接ＬＥＤユニット４０と対面している構成を例示したが、本発明はこれに限定されるものではない。例えば、前側シールド電極１３１とＬＥＤユニット４０との間に、シールド電極１３１，１３２やグリッド電極１２０を支持する帯電器１００のフレームの壁を有していてもよい。なお、このような構成に本発明を適用した場合、フレームの壁も、シールド電極１３１，１３２やグリッド電極１２０とともに直交面ＰＬ２に対して傾斜して配置されることとなる。
【００４９】
前記実施形態では、プロセスユニット５０は、感光体ドラム５２に対して現像器５４（現像ローラ５４Ａ）が着脱可能な構成であったが、本発明はこれに限定されるものではない。例えば、プロセスユニットは、感光体ドラムと現像ローラ（現像剤担持体）が一体（着脱不能）に構成されていてもよい。
【００５０】
前記実施形態では、感光体ドラム５２の表面に近接して配置される露光ヘッドとして、複数のＬＥＤ（発光部）が配列されたＬＥＤヘッド４１を例示したが、本発明はこれに限定されず、例えば、発光部として、ＥＬ素子や蛍光体などを採用してもよい。また、露光ヘッドは、蛍光灯やＬＥＤなどのバックライトの出射側に、液晶素子やＰＬＺＴ素子などの光学シャッタが配列された構成としてもよい。
【００５１】
前記実施形態では、現像ローラ５４Ａ（現像剤担持体）と帯電器１００の間で感光体ドラム５２に対向して配置される露光装置として、ＬＥＤユニット４０を例示したが、本発明はこれに限定されるものではない。例えば、現像剤担持体と帯電器の間で感光体ドラムに対向して配置される露光装置は、各感光体ドラムに対応して設けられ、レーザ光を感光体ドラムの表面で高速走査することにより、帯電後の感光体ドラムの表面を露光するレーザスキャナなどであってもよい。
【００５２】
また、露光装置は、現像剤担持体と帯電器の間で感光体ドラムに対向して配置されるものに限定されず、複数のプロセスユニット（感光体ドラム）の上方などに配置された１つの露光装置（レーザスキャナなど）であってもよい。
【００５３】
前記実施形態では、画像形成装置としてカラープリンタ１を例示したが、これに限定されず、例えば、モノクロ画像を形成するプリンタであってもよい。また、画像形成装置は、プリンタに限定されず、例えば、複写機や複合機などであってもよい。
【符号の説明】
【００５４】
１      カラープリンタ
４０    ＬＥＤユニット
４１    ＬＥＤヘッド
５０    プロセスユニット
５１    プロセスフレーム
５２    感光体ドラム
５４    現像器
５４Ａ  現像ローラ
１００  帯電器
１１０  ワイヤ電極、
１２０  グリッド電極
１２１  グリッド面
１３１  前側シールド電極
１３２  後側シールド電極
Ｃ      回転中心
Ｄ１    直径
Ｄ２    間隔
ＰＥ    露光位置
ＰＬ１  平面
ＰＬ２  直交面
ＰＬ３  平面
【図１】
0005278404.tif 000002
【図２】
0005278404.tif 000003
【図３】
0005278404.tif 000004